(57)【特許請求の範囲】
【請求項１】
熱可塑性樹脂または熱硬化性樹脂と強化繊維との複合材料から成る翼部本体と、
前記翼部本体の前縁部の少なくとも一部を覆う金属製のシースと、
前記翼部本体の後縁部の少なくとも一部を覆う金属製のガードと、
を備えるファンブレードであって、
前記シースの後端部と前記ガードの前端部とは、前記翼部本体の正圧面及び負圧面のそれぞれの面上で前記翼部本体の厚さ方向にオーバーラップしており、
該オーバーラップした区間において、前記ガードの前端部は、前記シースの後端部と前記翼部本体との間に介在しており、
前記オーバーラップした区間の後方の遷移区間において、前記翼部本体の厚さは、前記ファンブレードの翼部のキャンバーラインを基準として前記正圧面及び前記負圧面のそれぞれの側で前方に向かって連続的に減少しており、
前記シースと前記翼部本体、前記ガードと前記翼部本体、前記オーバーラップした区間における前記シースと前記ガードは、それぞれ接着剤層によって接合され、さらに、前記遷移区間における前記ガードの外方には追加の接着剤層が配設されるファンブレード。
【請求項２】
前記オーバーラップした区間において、前記シースの厚さは後方に向かって連続的に減少し、前記ガードの厚さは前方に向かって連続的に減少している請求項１に記載のファンブレード。
【請求項３】
以下の（１）または（２）を満足する請求項１または２に記載のファンブレード。
（１）前記正圧面上で前記シースの後端部と前記ガードの前端部とがオーバーラップした区間の前後方向の長さが、当該区間の後端における前記ファンブレードの厚さ以上である。
（２）前記負圧面上で前記シースの後端部と前記ガードの前端部とがオーバーラップした区間の前後方向の長さが、当該区間の後端における前記ファンブレードの厚さ以上である。
【発明の詳細な説明】
【技術分野】
【０００１】
本開示は、航空機用ターボファンエンジンのファンブレード、特に複合材料製のファンブレードに関する。
【背景技術】
【０００２】
航空機用ターボファンエンジンは、ファンと、ファンの後方にファンと同軸に配置され、ファンを駆動するためのタービンを備えたコアエンジンとから構成されている。【０００３】
ファンは、略円筒状のファンケースと、ファンケースの内部において回転するように構成されたファンディスクと、ファンディスクの外周に取り付けられた複数のファンブレードとを備えている。ファンディスクは、シャフトを介して連結された低圧タービンによって回転駆動される。【０００４】
ターボファンエンジンの運転中、ファンディスクと共にファンブレードが回転することにより、ファンに空気が吸い込まれる。空気の一部はコアエンジンに流入し、低圧タービンを駆動するための高温高圧のガスを発生させ、残部はコアエンジンをバイパスして後方から排出され、推力の大部分の発生に寄与する。【０００５】
航空機用ターボファンエンジンのファンブレードとしては、従来は主にチタン合金製のものが用いられていた。しかしながら、近年においては、ＦＲＰ（Fiber Reinforced Plastics；繊維強化プラスチック）等の複合材料で製造されたものが用いられることが多い。【０００６】
複合材料は、チタン合金と比べて比強度（引張強度を密度で除した値）が大きいため、ファンブレードの材料をチタン合金から複合材料に変更することにより、強度を維持したまま軽量化を実現することができる。【０００７】
その一方で、複合材料は、チタン合金と比べて耐摩耗性及び耐衝撃性において劣っている。ファンに吸い込まれる空気に砂粒、小石等の異物が混入していると、異物はファンブレードの翼部に衝突し、翼部が複合材料により構成されている場合には、損傷（ＦＯＤ（Foreign Object Damage））を引き起こす可能性がある。【０００８】
そのため、従来の複合材料製ファンブレード１２０においては、図４Ａに示すように、異物との衝突の可能性が高い複合材料製の翼部本体１２１の前縁部ＬＥを金属製のシース１２２で覆うことにより、損傷の発生を防止している（特許文献１参照）。【０００９】
また、ファンが、鳥等の大きな異物を吸い込むと、ファンブレードの翼部は、異物との衝突によって大きく変形する。変形は、前縁部における曲げ変形として始まり、その後、他の領域へ伝播してゆく。このうち翼部の後縁部は、伝播してきた変形により表面に大きな歪が発生しやすい部位であり、翼部が複合材料により構成されている場合には、亀裂や剥離が生じる可能性が高い。【００１０】
そのため、従来の複合材料製ファンブレード１２０においては、図４Ａに示すように、複合材料製の翼部本体１２１の後縁部ＴＥのうち、異物衝突時の変形により表面に大きな歪が発生すると予測される部位を、金属製のガード１２３で覆って保護している。これにより、翼部の後縁部の強度が向上し、亀裂や剥離の発生が回避される（特許文献１参照）。【００１１】
このように、従来の複合材料製ファンブレードにおいては、耐摩耗性及び耐衝撃性を向上させるために、複合材料製の翼部本体の前縁部を金属製のシースで覆うと共に、後縁部を金属製のガードで覆っていた。
【先行技術文献】
【特許文献】
【００１２】
【特許文献１】米国特許第７，７８０，４１０号明細書
【発明の概要】
【発明が解決しようとする課題】
【００１３】
特許文献１に記載された複合材料製ファンブレード（「fan blade assembly 114」）においては、複合材料製の翼部本体（「airfoil 154」）の前縁部が金属製のシース（「metal leading edge 158」）で覆われ、後縁部が金属製のガード（「trailing edge guard 156」及び「blade tip cap 150」）で覆われている（FIG.2参照）。【００１４】
ところで、シースとガードとのインターフェース部の構成、より具体的には、シースの後端部（後端及びその近傍の部分）とガードの前端部（前端及びその近傍の部分）とが互いにどのように配置されているのかについて、特許文献１には記載されていない。【００１５】
しかし、金属製のシース及び金属製のガードは、複合材料製の翼部本体に接着剤により接合されるので、シースの後端部とガードの前端部とは、両者の製造時の寸法公差を考慮して互いに重なり合うことがないよう配置されているものと考えられる。すなわち、設計上のノミナル（基準）形状を有するシース１２２の後端とガード１２３の前端との間には、図４Ａに示すように、隙間Ｇがあると考えらえる。【００１６】
このように、シース１２２の後端とガード１２３の前端との間に隙間Ｇがある場合、ファンブレード１２０に大きな異物Ｂが衝突すると、翼部本体１２１は、図４ＡにおけるＡ−Ａ断面図である図４Ｂに示すように、異物Ｂの衝突による曲げ荷重Ｆの作用によって、隙間Ｇの存在する部分において屈曲するように曲げられる。これにより、ファンブレード１２０は、以下に示すような損傷を受ける可能性が高い。
（１）屈曲により生じる応力集中により、翼部本体１２１を構成する複合材料の表面に亀裂が生じる。また、翼部本体１２１を構成する複合材料が、翼部本体１２１の厚さ方向に積層された複数の層から成る場合には、層間剥離（隣接する層が互いに剥がれる現象）が発生する。
（２）翼部本体１２１のうち異物が衝突する側の面（正圧面１２１Ｐ）が、図４Ｂに示すように、発生した曲げ変形に起因して隙間Ｇの近傍において一時的に凸面となり、これにより、シース１２２及びガード１２３の一方または両方のうち、翼部本体１２１の正圧面１２１Ｐに接合された部分が剥がれ、翼部本体１２１の正圧面１２１Ｐから浮き上がった状態となる。【００１７】
（１）の損傷が発生した場合には、翼部本体の強度が大幅に低下してしまい、また、（２）の損傷が発生した場合には、プロファイル（断面形状）の変化により翼部の空力性能が大幅に低下してしまい、いずれも好ましくない。【００１８】
また、シース１２２の後端とガード１２３の前端との間に隙間Ｇがある場合、ファンブレード１２０の翼部のプロファイルは、隙間Ｇの部分において不連続的な凹部を有することとなり、上述したような損傷が発生していない状態においても、翼部の空力性能を損なう要因となる。【００１９】
このように空力性能を損なう要因となる凹部は、図４Ｃに示すように、複合材料製の翼部本体１２１の表面を、隙間Ｇを埋めるような態様で隆起させることにより、解消することができる。なお、図中の符号１２４は、シース１２２及びガード１２３を翼部本体１２１に接合するための接着剤層である。しかし、このような翼部本体１２１では、隆起した部分において、複合材料を構成する強化繊維（図中、破線で示す。）に部分的な屈曲が生じ、結果的に翼部本体１２１の強度が低下してしまうので、好ましくない。このような強度低下を生じさせずに空力性能を損なう凹部を解消する方法として、図４Ｄに示すように接着剤を隙間Ｇに充填して埋める方法がある。しかし、隙間Ｇを埋めている接着剤の剛性、強度は複合材料製の翼部本体や金属製のシース、ガードと比較して著しく低いため、異物の衝突によりシース、ガードの不連続部に発生する部分的な屈曲に起因する損傷を防ぐ効果はない。【００２０】
本開示は、以上のような問題点に鑑みてなされたものであって、複合材料製でありながら、大きな異物が衝突した場合であっても損傷を受けることのないファンブレードを提供することを目的とする。
【課題を解決するための手段】
【００２１】
上記課題を解決するために、本開示の一実施態様のファンブレードは、熱可塑性樹脂または熱硬化性樹脂と強化繊維との複合材料から成る翼部本体と、前記翼部本体の前縁部の少なくとも一部を覆う金属製のシースと、前記翼部本体の後縁部の少なくとも一部を覆う金属製のガードと、を備え、前記シースの後端部と前記ガードの前端部とは、前記翼部本体の正圧面及び負圧面のそれぞれの面上で前記翼部本体の厚さ方向にオーバーラップしており、該オーバーラップした区間において、前記ガードの前端部は、前記シースの後端部と前記翼部本体との間に介在しており、前記オーバーラップした区間の後方の遷移区間において、前記翼部本体の厚さは、前記ファンブレードの翼部のキャンバーラインを基準として前記正圧面及び前記負圧面のそれぞれの側で前方に向かって連続的に減少しており、前記シースと前記翼部本体、前記ガードと前記翼部本体、前記オーバーラップした区間における前記シースと前記ガードは、それぞれ接着剤層によって接合され、さらに、前記遷移区間における前記ガードの外方には追加の接着剤層が配設される。
【発明の効果】
【００２２】
本開示によれば、複合材料製ファンブレードの耐摩耗性及び耐衝撃性を、空力性能の損失を最小限に抑えつつ向上させることができると共に、大きな異物が衝突した場合であっても、損傷の発生を防止することができるという、優れた効果を得ることができる。
【図面の簡単な説明】
【００２３】
【図１】ファンブレードを備えるターボファンエンジンの概略側断面図である。
【図２Ａ】本開示の複合材料製ファンブレードの全体斜視図である。
【図２Ｂ】本開示の複合材料製ファンブレードの断面図（図２ＡにおけるＡ−Ａ断面）である。
【図３】本開示の複合材料製ファンブレードにおけるシースの後端部とガードの前端部との関係を示す、図２ＢにおけるＩＦ部の拡大図である。
【図４Ａ】従来の複合材料製ファンブレードの全体斜視図である。
【図４Ｂ】従来の複合材料製ファンブレードの断面図（図４ＡにおけるＡ−Ａ断面）である。
【図４Ｃ】従来の複合材料製ファンブレードの断面図（図４ＡにおけるＡ−Ａ断面）において、シースの後端部とガードの前端部との間の隙間の部分を拡大して示す図であり、当該隙間により生じるファンブレード翼部プロファイルの凹部を解消するための方法を示している。
【図４Ｄ】従来の複合材料製ファンブレードの断面図（図４ＡにおけるＡ−Ａ断面）において、シースの後端部とガードの前端部との間の隙間の部分を拡大して示す図であり、当該隙間により生じるファンブレード翼部プロファイルの凹部を解消するための他の方法を示している。
【発明を実施するための形態】
【００２４】
以下、本開示の実施形態について、図面を参照して詳細に説明する。
【００２５】
図１は、ファンブレードを備える一般的なターボファンエンジンの概略側断面図である。
【００２６】
ターボファンエンジン１は、推力の大部分を発生させるファン２と、ファン２の後方にファン２と同軸に配置され、ファン２を駆動するためのタービンを備えたコアエンジン３とから構成されている。
【００２７】
コアエンジン３は、上流側から下流側に向かって順に、低圧コンプレッサ３１、高圧コンプレッサ３２、燃焼器３３、高圧タービン３４、低圧タービン３５が配置されたターボジェットエンジンとして構成されている。高圧タービン３４は高圧シャフト３７を介して高圧コンプレッサ３２に連結され、低圧タービン３５は低圧シャフト３８を介して低圧コンプレッサ３１及びファン２に連結されている。
【００２８】
ファン２は、略円筒状に形成されたファンケース２６と、ファンケース２６の内部において回転するように構成されたファンディスク２５と、ファンディスク２５の外周に周方向に間隔を隔てて取り付けられた複数のファンブレード２０とを備えている。ファンケース２６は、コアエンジン３のケーシング３０に、周方向に間隔を隔てて複数配設されたストラット（支柱）４を介して取り付けられている。ファンディスク２５は、低圧シャフト３８を介して連結された低圧タービン３５によって回転駆動される。
【００２９】
図２Ａは、本開示のファンブレード２０の全体斜視図であり、図２Ｂは、図２ＡにおけるＡ−Ａ断面図である。
【００３０】
本開示のファンブレード２０は、複合材料製の翼部本体２１と、翼部本体２１の前縁部ＬＥを覆う金属製のシース２２と、翼部本体２１の後縁部ＴＥを覆う金属製のガード２３とから構成されている。
【００３１】
一方、ファンブレード２０は、機能の観点では、翼部２０Ａと翼根部２０Ｒとに区分することができる。翼根部２０Ｒは、翼部本体２１の基端部分であり、この部分をファンディスク２５の外周に周方向に間隔を隔てて設けられた溝（図示せず）に嵌め込むことにより、ファンブレード２０はファンディスク２５に取り付けられる。翼部２０Ａは、ファンブレード２０のうち翼根部２０Ｒを除く部分であり、上述したように翼部本体２１とシース２２とガード２３とから構成され、空力的機能を発揮する。
【００３２】
翼部本体２１を構成する複合材料としては、熱可塑性樹脂または熱硬化性樹脂と強化繊維とから成るＦＲＰ（Fiber Reinforced Plastics；繊維強化プラスチック）が用いられる。
【００３３】
熱可塑性樹脂は、加熱によって軟化して可塑性を発揮し、冷却によって固化する性質を有する樹脂である。本開示のファンブレード２０に用いられる熱可塑性樹脂は、例えばポリエチレン樹脂、ポリプロピレン樹脂、ポリスチレン樹脂、ＡＢＳ樹脂、塩化ビニル樹脂、メタクリル酸メチル樹脂、ナイロン樹脂、フッ素樹脂、ポリカーボネート樹脂、ポリエステル樹脂等である。
【００３４】
熱硬化性樹脂は、加熱によって硬化する性質を有する樹脂である。本開示のファンブレード２０に用いられる熱硬化性樹脂は、例えばエポキシ樹脂，フェノール樹脂，ポリイミド樹脂等である。
【００３５】
本開示のファンブレード２０に用いられる強化繊維は、例えば炭素繊維、アラミド繊維、ガラス繊維等である。
【００３６】
翼部本体２１は、例えば、強化繊維に熱可塑性樹脂を含浸させたシート状のプリプレグを複数枚積層し、加熱状態下において最終形状が得られるようにプレス成形することにより製造される。あるいは、強化繊維に熱硬化性樹脂を含浸させたシート状のプリプレグを、最終形状が得られるように複数枚積層した後、加熱状態下において樹脂を硬化させることによって製造しても良い。
【００３７】
シース２２は、チタン合金等の金属から成り、図２Ｂに示すように、基部２２Ｂと、基部２２Ｂから突出する正圧面保護壁２２Ｐ及び負圧面保護壁２２Ｓとを一体にした構造を有している。
【００３８】
正圧面保護壁２２Ｐと負圧面保護壁２２Ｓは、凹部２２Ｒを挟んで互いに対向しており、凹部２２Ｒは、前縁部ＬＥを含む翼部本体２１の前方部分を受容するように構成されている。翼部本体２１の正圧面２１Ｐと正圧面保護壁２２Ｐ、翼部本体２１の負圧面２１Ｓと負圧面保護壁２２Ｓは、それぞれ、エポキシ系接着剤等の接着剤層２４により接合される。
【００３９】
シース２２は、翼部本体２１の高さ方向において翼根元部Ｈから翼先端部Ｔまでのほぼ全域で、翼部本体２１の前縁部ＬＥを覆っている。これにより、ファン２に吸い込まれる空気に砂粒、小石等の異物が混入している場合であっても、異物との衝突によって翼部本体２１の前縁部ＬＥが損傷を受けることを防止することができる。
【００４０】
なお、シース２２により覆われる翼部本体２１の範囲は、適宜に選定することができる。例えば、正圧面保護壁２２Ｐ及び負圧面保護壁２２Ｓを後方に延長することにより、翼先端部Ｔをも覆うようにしてもよい。これにより、ファンケース２６の内周面との接触が生じた場合であっても、翼先端部Ｔに過剰な摩耗が発生することを防止することができる。
【００４１】
ガード２３は、チタン合金等の金属から成り、図２Ａ及び図２Ｂに示すように、正圧面保護壁２３Ｐと負圧面保護壁２３Ｓから構成される。正圧面保護壁２３Ｐと負圧面保護壁２３Ｓは後端において高さ方向の一部または全体にわたって一体に接続されていてもよい。接続方法は、正圧面保護壁２３Ｐと負圧面保護壁２３Ｓを個別に成形したうえで溶接、ろう付け等により接合してもよいし、単一の素材から塑性加工等により一体成形してもよい。
【００４２】
正圧面保護壁２３Ｐと負圧面保護壁２３Ｓは、凹部２３Ｒを挟んで互いに対向しており、凹部２３Ｒは、後縁部ＴＥを含む翼部本体２１の後方部分を受容するように構成されている。翼部本体２１の正圧面２１Ｐと正圧面保護壁２３Ｐ、翼部本体２１の負圧面２１Ｓと負圧面保護壁２３Ｓは、それぞれ、エポキシ系接着剤等の接着剤から成る接着剤層２４により接合される。
【００４３】
ガード２３は、翼部本体２１の高さ方向において翼根元部Ｈから翼先端部Ｔまでのほぼ全域で、翼部本体２１の後縁部ＴＥを覆っている。これにより、ファンブレード２０の翼部２０Ａに鳥等の大きな異物Ｂが衝突した場合であっても、これにより生じる変形に伴って翼部本体２１の後縁部ＴＥの表面に発生する歪を抑制し、亀裂や剥離が発生することを防止することができる。
【００４４】
なお、ガード２３により覆われる翼部本体２１の範囲は、適宜に選定することができる。例えば、大きな異物Ｂが衝突した時のファンブレード２０の翼部２０Ａの変形挙動を解析によって求め、許容値を超える大きな歪が発生すると予測される部位を含む範囲を、ガード２３により覆うようにすると良い。
【００４５】
次に、シース２２の後端部（後端及びその近傍の部分）とガード２３の前端部（前端及びその近傍の部分）とのインターフェース部の構成について、図２ＢにおけるＩＦ部の拡大図である図３を参照して説明する。なお、当該構成は、翼部本体２１の正圧面側及び負圧面側のいずれにおいても同様であるので、以下においては、負圧面側に関する説明を括弧内に併記することにより、重複する説明を省略する。
【００４６】
図３に示すように、シース２２の正圧面保護壁２２Ｐ（負圧面保護壁２２Ｓ）の後端部と、ガード２３の正圧面保護壁２３Ｐ（負圧面保護壁２３Ｓ）の前端部とは、前者と翼部本体２１の正圧面２１Ｐ（負圧面２１Ｓ）の間に後者が介在するような態様で、翼部本体２１の厚さ方向にオーバーラップしており、これによりオーバーラップ区間ＯＬ１（ＯＬ２）が形成されている。
【００４７】
また、オーバーラップ区間ＯＬ１（ＯＬ２）の前後には、それぞれ前方遷移区間ＴＦ１（ＴＦ２）、後方遷移区間ＴＲ１（ＴＲ２）が形成されている。
【００４８】
後方遷移区間ＴＲ１（ＴＲ２）においては、空力設計によって決定された翼部２０Ａのプロファイル（断面形状）におけるキャンバーライン（翼型の中心線）ＣＬを基準として正圧面２１Ｐ（負圧面２１Ｓ）の側において、翼部本体２１の厚さが前方に向かって連続的に減少し、これに伴って、ガード２３の正圧面保護壁２３Ｐ（負圧面保護壁２３Ｓ）の外表面は、前方に向かって次第に翼部２０ＡのキャンバーラインＣＬに向かって偏位している。これにより、翼部２０Ａのプロファイルにおける正圧面ＳＰ（負圧面ＳＳ）と、ガード２３の正圧面保護壁２３Ｐ（負圧面保護壁２３Ｓ）の外表面との間に空間が確保され、オーバーラップ区間ＯＬ１（ＯＬ２）内において、シース２２の正圧面保護壁２２Ｐ（負圧面保護壁２２Ｓ）の後端部を収容することができる。
【００４９】
また、上述したガード２３の正圧面保護壁２３Ｐ（負圧面保護壁２３Ｓ）の偏位に伴って、シース２２の正圧面保護壁２２Ｐ（負圧面保護壁２２Ｓ）の後端の後方、かつ、ガード２３の正圧面保護壁２３Ｐ（負圧面保護壁２３Ｓ）の外方に形成される凹部は、追加の接着剤層２４Ａによって充填される。これにより、後方遷移区間ＴＲ１（ＴＲ２）の前方及び後方における翼部２０Ａの正圧面ＳＰ（負圧面ＳＳ）が、充填された追加の接着剤層２４Ａの外表面によって滑らかに接続されることになる。
【００５０】
なお、後方遷移区間ＴＲ１（ＴＲ２）の前方、即ちオーバーラップ区間ＯＬ１（ＯＬ２）及び前方遷移区間ＴＦ１（ＴＦ２）において、翼部２０Ａの正圧面ＳＰ（負圧面ＳＳ）は、シース２２の正圧面保護壁２２Ｐ（負圧面保護壁２２Ｓ）の外表面によって形成されている。また、後方遷移区間ＴＲ１（ＴＲ２）の後方において、翼部２０Ａの正圧面ＳＰ（負圧面ＳＳ）は、ガード２３の正圧面保護壁２３Ｐ（負圧面保護壁２３Ｓ）の外表面によって形成されている。また、オーバーラップ区間ＯＬ１（ＯＬ２）において、シース２２の正圧面保護壁２２Ｐ（負圧面保護壁２２Ｓ）の内表面と、ガード２３の正圧面保護壁２３Ｐ（負圧面保護壁２３Ｓ）の外表面とは、接着剤層２４を介して互いに接合されている。
【００５１】
ガード２３の正圧面保護壁２３Ｐ（負圧面保護壁２３Ｓ）の厚さは、後方遷移区間ＴＲ１（ＴＲ２）及びその後方においては一定に保たれているが、オーバーラップ区間ＯＬ１（ＯＬ２）においては前方に向かって連続的に減少している。
【００５２】
一方、シース２２の正圧面保護壁２２Ｐ（負圧面保護壁２２Ｓ）の厚さは、前方遷移区間ＴＦ１（ＴＦ２）及びオーバーラップ区間ＯＬ１（ＯＬ２）において、後方に向かって連続的に減少、換言すれば前方に向かって連続的に増加している。
【００５３】
このように、オーバーラップ区間ＯＬ１（ＯＬ２）において、ガード２３の正圧面保護壁２３Ｐ（負圧面保護壁２３Ｓ）の厚さは前方に向かって連続的に減少し、シース２２の正圧面保護壁２２Ｐ（負圧面保護壁２２Ｓ）の厚さは前方に向かって連続的に増加している。このように、オーバーラップ区間ＯＬ１（ＯＬ２）において、翼部本体２１の正圧面２１Ｐ（負圧面２１Ｓ）を保護する壁の厚さ、即ちシース２２の正圧面保護壁２２Ｐ（負圧面保護壁２２Ｓ）及びガード２３の正圧面保護壁２３Ｐ（負圧面保護壁２３Ｓ）の全体の厚さが略一定に保たれていると、翼部本体２１の厚さは前方に向かって連続的に減少することになるため、当該翼部本体２１を構成する複合材料の強化繊維に部分的な屈曲が生じることが回避され、ひいては翼部本体２１の強度の低下を防止することができる。ただし、翼部本体２１の正圧面２１Ｐ（負圧面２１Ｓ）を保護する壁の厚さは、必ずしも略一定である必要はなく、シース２２の正圧面保護壁２２Ｐ（負圧面保護壁２２Ｓ）及びガード２３の正圧面保護壁２３Ｐ（負圧面保護壁２３Ｓ）のそれぞれの厚さは、翼部本体２１を構成する複合材料の強化繊維に部分的な屈曲が生じない範囲内で、適宜に選定することができる。
【００５４】
なお、ガード２３の正圧面保護壁２３Ｐ（負圧面保護壁２３Ｓ）の厚さを、オーバーラップ区間ＯＬ１（ＯＬ２）においても、後方遷移区間ＴＲ１（ＴＲ２）及びその後方における厚さと同一に保ってもよい。この場合、上述したようにシース２２の正圧面保護壁２２Ｐ（負圧面保護壁２２Ｓ）の厚さは前方に向かって連続的に増加しているため、翼部本体２１の正圧面２１Ｐ（負圧面２１Ｓ）を保護する壁の厚さ、即ちシース２２の正圧面保護壁２２Ｐ（負圧面保護壁２２Ｓ）及びガード２３の正圧面保護壁２３Ｐ（負圧面保護壁２３Ｓ）の全体の厚さも、前方に向かって連続的に増加することになる。これにより、異物が衝突する可能性の高い翼部本体２１の前縁部ＬＥを、より効果的に損傷から保護することができる。
【００５５】
一方、前方遷移区間ＴＦ１（ＴＦ２）においては、複合材料の強化繊維に部分的な屈曲が生じないように決定された翼部本体２１の形状に対し、接着剤層２４の厚さを前後方向に変化させることによって、シース２２の正圧面保護壁２２Ｐ（負圧面保護壁２２Ｓ）の厚さの前後方向の変化を補償している。
【００５６】
なお、ファンブレード２０の耐衝撃性を確保するためには、以下に示す（式１）または（式２）が満たされることが好ましい。
（１）オーバーラップ区間ＯＬ１の前後方向の長さをＬＯＬ１、オーバーラップ区間ＯＬ１の後端におけるファンブレード２０の厚さ（図３参照）をｔＯＬ１とするとき、
ＬＯＬ１≧ｔＯＬ１      （式１）
（２）オーバーラップ区間ＯＬ２の前後方向の長さをＬＯＬ２、オーバーラップ区間ＯＬ２の後端におけるファンブレード２０の厚さ（図３参照）をｔＯＬ２とするとき、
ＬＯＬ２≧ｔＯＬ２      （式２）
【００５７】
なお、一実施例において、シース２２の正圧面保護壁２２Ｐ（負圧面保護壁２２Ｓ）の厚さは、前方遷移区間ＴＦ１（ＴＦ２）の前端において1.2mm、オーバーラップ区間ＯＬ１（ＯＬ２）の後端において0.2mmであり、この間で連続的に変化している。また、ガード２３の正圧面保護壁２３Ｐ（負圧面保護壁２３Ｓ）の厚さは、オーバーラップ区間ＯＬ１（ＯＬ２）の後端よりも後方において0.5mm（一定）、オーバーラップ区間ＯＬ１（ＯＬ２）の前端において0.2mmである。ただし、これらの厚さは、いずれも適宜に選定することができる。
【００５８】
以上のように、本開示のファンブレード２０においては、翼部本体２１の前方を覆うシース２２の後端部と、翼部本体２１の後方を覆うガード２３の前端部とが、翼部本体２１の厚さ方向にオーバーラップしている。換言すれば、複合材料製の翼部本体２１は、前後方向の全域に亘って、金属製のシース２２及び金属製のガード２３により覆われている。
【００５９】
このため、鳥等の大きな異物Ｂが衝突した場合であっても、翼部本体２１は、屈曲することなく滑らかに湾曲した態様で変形するので、翼部本体２１に応力集中が発生することがなく、翼部本体２１を構成する複合材料の表面に亀裂が生じることがない。特に、翼部本体２１を構成する複合材料が、翼部本体２１の厚さ方向に積層された複数の層から成る場合、従来の複合材料製ファンブレードでは層間剥離が発生する可能性があったが、本開示のファンブレード２０ではその可能性を排除することができる。また、異物の衝突により発生した曲げ変形により、翼部本体２１の正圧面２１Ｐが一時的に凸面となった場合であっても、ガード２３の前端部はシース２２の後端部によって覆われているので、ガード２３の前端部が翼部本体２１の正圧面２１Ｐから剥がれて浮き上がった状態となることがない。
【００６０】
このように、本開示のファンブレード２０においては、鳥等の大きな異物Ｂが衝突した場合であっても、翼部本体２１において亀裂若しくは層間剥離が生じたり、シース２２またはガード２３が剥がれたりする等の損傷が発生することがない。換言すれば、本開示のファンブレード２０は、損傷に至るまでに、従来の複合材料製ファンブレードと比べてより大きな荷重に耐え得ることになる。
【００６１】
このことは、本開示のファンブレード２０における、シース２２の後端部とガード２３の前端部とのインターフェース部の構成を模擬した試験片を用いた静的荷重負荷試験を通じて確認された。
【００６２】
さらに、本開示のファンブレード２０においては、シース２２の後端部とガード２３の前端部とを翼部本体２１の厚さ方向にオーバーラップさせることに伴って生じる凹部が、追加の接着剤層２４Ａにより充填されているので、空力性能の損失を最小限に抑えることもできる。
【００６３】
以上のように、本開示によれば、複合材料製ファンブレードの耐摩耗性及び耐衝撃性を、空力性能の損失を最小限に抑えつつ向上させることができると共に、大きな異物が衝突した場合であっても、損傷の発生を防止することができる。
【００６４】
（本開示の態様）
本開示の第１の態様のファンブレードは、熱可塑性樹脂または熱硬化性樹脂と強化繊維との複合材料から成る翼部本体と、前記翼部本体の前縁部の少なくとも一部を覆う金属製のシースと、前記翼部本体の後縁部の少なくとも一部を覆う金属製のガードと、を備え、前記シースの後端部と前記ガードの前端部とは、前記翼部本体の正圧面及び負圧面のそれぞれの面上で前記翼部本体の厚さ方向にオーバーラップしており、該オーバーラップした区間において、前記ガードの前端部は、前記シースの後端部と前記翼部本体との間に介在しており、前記オーバーラップした区間の後方の遷移区間において、前記翼部本体の厚さは、前記ファンブレードの翼部のキャンバーラインを基準として前記正圧面及び前記負圧面のそれぞれの側で前方に向かって連続的に減少しており、前記シースと前記翼部本体、前記ガードと前記翼部本体、前記オーバーラップした区間における前記シースと前記ガードは、それぞれ接着剤層によって接合され、さらに、前記遷移区間における前記ガードの外方には追加の接着剤層が配設される。
【００６５】
本開示の第２の態様のファンブレードは、前記オーバーラップした区間において、前記シースの厚さは後方に向かって連続的に減少し、前記ガードの厚さは前方に向かって連続的に減少している。
【００６７】
本開示の第３の態様のファンブレードは、以下の（１）または（２）を満足する。
（１）前記正圧面上で前記シースの後端部と前記ガードの前端部とがオーバーラップした区間の前後方向の長さが、当該区間の後端における前記ファンブレードの厚さ以上である。
（２）前記負圧面上で前記シースの後端部と前記ガードの前端部とがオーバーラップした区間の前後方向の長さが、当該区間の後端における前記ファンブレードの厚さ以上である。
【符号の説明】
【００６８】
２０            ファンブレード
２１            翼部本体
２２            シース
２３            ガード
２４            接着剤層
２４Ａ          追加の接着剤層
ＣＬ            キャンバーライン
ＬＥ            （翼部本体の）前縁部
ＴＥ            （翼部本体の）後縁部
ＳＰ            （翼部本体の）正圧面
ＳＳ            （翼部本体の）負圧面
ＯＬ１、ＯＬ２  オーバーラップ区間
ＴＲ１、ＴＲ２  後方遷移区間（遷移区間）
【図１】
0006631822.tif 000002
【図２Ａ】
0006631822.tif 000003
【図２Ｂ】
0006631822.tif 000004
【図３】
0006631822.tif 000005
【図４Ａ】
0006631822.tif 000006
【図４Ｂ】
0006631822.tif 000007
【図４Ｃ】
0006631822.tif 000008
【図４Ｄ】
0006631822.tif 000009